(57)【要約】【課題】先端部が折れ曲がることを防止することができ、作業性を向上することができる接続端子およびこれを備えたコネクタを提供する。【解決手段】予めコネクタ２０に形成された挿入孔２１に固定された先端部１１および先端部１１の後方に位置する後端部１２を有する第１の端子部１０と、第１の端子部１０の後端部１２に結合される先端部１１を有する第２の端子部１５と、を備え、第１の端子部１０の後端部１２は、四角筒状に形成されかつ互いに対向する２つの面部に一対の窓部１３を有しており、第２の端子部１５の先端部１６は、第１の端子部１０の四角筒状の後端部１２内に嵌合されかつ互いに反対となる２つの面部に形成された一対のロック爪１９が第１の端子部の一対の窓部１３に嵌合するようになっている。【選択図】図１
2017126429.tif 000002
【特許請求の範囲】
【請求項１】
予めコネクタに形成された挿入孔に固定された先端部および前記先端部の後方に位置する後端部を有する第１の端子部と、前記第１の端子部の前記後端部に結合される先端部を有する第２の端子部と、を備え、
前記第１の端子部の前記後端部は、四角筒状に形成されかつ互いに対向する２つの面部に一対の窓部を有しており、
前記第２の端子部の前記先端部は、前記第１の端子部の四角筒状の前記後端部内に嵌合されかつ互いに反対となる２つの面部に形成された一対のロック爪が前記第１の端子部の一対の窓部に嵌合するようになっていることを特徴とする接続端子。
【請求項２】
前記第１の端子部は、前記挿入孔に固定されたときに、前記挿入孔の孔壁に設けられたランスが前記第１の端子部の前記後端部に当接していることを特徴とする請求項１に記載の接続端子。
【請求項３】
複数の挿入孔を有し、前記各挿入孔に、請求項１または２に記載の前記第１の端子部が予め収容されていることを特徴とするコネクタ。
【請求項４】
請求項３に記載のコネクタの前記挿入孔に収容された前記第１の端子部と、請求項１または２に記載の電線が接続された前記第２の端子部と、が接続されたことを特徴とするワイヤハーネス。
【発明の詳細な説明】
【技術分野】
【０００１】
本発明は、接続端子およびコネクタに関する。
【背景技術】
【０００２】
従来のコネクタとして、図４、５に示すように、被覆電線が加締めて固定された端子をコネクタハウジングに挿入するようになっている。図４に示すコネクタ５１は、雄コネクタを構成しており、内部に収容された雌端子に接続される雄端子５３を有している。
【０００３】
この雄端子５３は、雌端子に挿入される尖った形状を有する先端部５３ａと、皮剥ぎした被覆電線５５を固定する後端部５３ｂと、備えている。先端部５３ａは、後端部５３ｂの下面側（後述する係止部材側）の部分から突出しており、さらに後端部５３ｂの下面側には、コネクタハウジング５７内部の所望の位置に設けられた係止部材と係止する穴部５９（図５に示す）が形成されている。図４に示すように、この被覆電線５５が雄端子５３に接続された状態で、コネクタハウジング５７に挿入されるようになっている。
【０００４】
このような雄端子５３は、コネクタハウジング５７内部で固定するために、例えば図５（ａ）で示す方向で雄端子５３をコネクタハウジング５７に挿入した際に、雄端子５３がコネクタハウジング５７内部の所望の位置で固定されるよう、穴部５９と係止する係止部材がコネクタハウジング５７内部の所望の位置に設けられている。また、図５（ｂ）で示す状態で雄端子５３をコネクタハウジング５７に挿入すると、穴部５９が係止部材と係止せず、被覆電線が接続された雄端子５３がコネクタハウジング５７に固定できないようになっている。
【０００５】
また、従来から電線に端子金具を接続する際に電線に対する端子金具の方向性をなくすようにした端子金具およびコネクタが知られている（例えば特許文献１参照）。
【０００６】
この特許文献１に開示されたものは、端子金具６１の電線接続部６３には電線６５が後方から収容され、電線接続部６３の切起片６７を電線６５に係止させることでその電線６５を抜止めしている。電線接続部６３は円筒状をなしているので、電線６５との接続に際しては、電線６５に対して端子金具６１を周方向に位置決めする必要がない。したがって、電線６５に接続するための装置には端子金具６１を所定の姿勢にセットするための機構が必要であり、装置の簡素化を図ることができる。なお、電線接続部６３のうち略前半部分は芯線収容部６８となっており略後半部分は芯線収容部６８よりも僅かに径の大きい被覆収容部６９となっている。
【先行技術文献】
【特許文献】
【０００７】
【特許文献１】特開２００４−２４１２４６号公報
【発明の概要】
【発明が解決しようとする課題】
【０００８】
しかしながら、このような図４で示す従来のコネクタにあっては、例えば図５（ａ）で示す状態で雄端子５３をコネクタハウジング５７に挿入することで、穴部５９が係止部材と係止するようになっているが、図５（ｂ）で示す状態で雄端子５３をコネクタハウジング５７に挿入すると、穴部５９が係止部材と係止せず、被覆電線５５が接続された雄端子５３をコネクタハウジング５７に固定できないばかりか脆弱性を有する先端部５３ａが折れ曲がるという問題があった。
【０００９】
特に尖った形状を有する雄端子５３が、例えば図５（ｂ）で示すようにコネクタハウジング５７に対する挿入方向を間違えると本来挿入されるべき孔部に挿入することができず、その周辺壁部に衝突して、先端部５３ａが折れ曲がるといった問題があった。このように、雄端子５３の挿入方向が制限されているので、作業者の負担が大きくなり作業性が悪いという問題があった。
【００１０】
また、このような図６で示す従来のコネクタにあっては、端子金具６１は、被覆収容部６９に形成した係止孔７１にキャビティ７３の係止部７５を係止させることで、抜け止め状態に保持されるようになっており、端子全体を抜くことについては考慮されていないので、メンテナンスする際の作業性が悪いという問題があった。
【００１１】
本発明は、上述のような課題を解決するためになされたもので、先端部が折れ曲がることを防止することができ、作業性を向上することができる接続端子およびこれを備えたコネクタを提供することを目的とする。
【課題を解決するための手段】
【００１２】
上述した課題を解決するため、本発明に係る接続端子は、予めコネクタに形成された挿入孔に固定された先端部および前記先端部の後方に位置する後端部を有する第１の端子部と、前記第１の端子部の前記後端部に結合される先端部を有する第２の端子部と、を備え、前記第１の端子部の前記後端部は、四角筒状に形成されかつ互いに対向する２つの面部に一対の窓部を有しており、前記第２の端子部の前記先端部は、前記第１の端子部の四角筒状の前記後端部内に嵌合されかつ互いに反対となる２つの面部に形成された一対のロック爪が前記第１の端子部の一対の窓部に嵌合するようになっている構成である。
【００１３】
この構成により、本発明に係る接続端子は、尖っていて脆弱な先端部と四角筒状で強度が大きい後端部とを有する第１の端子部と、尖っておらず四角筒状で強度が大きい先端部を有する第２の端子部とに分割されており、第２の端子部を尖っていない先端部よりコネクタの挿入孔に挿入し、コネクタの挿入孔の奥側に予め収容された第１の端子部の後端部に結合するので、第２の端子部の先端部が折れ曲がることを防止することができる。
【００１４】
さらに、本発明に係る接続端子は、第１の端子部の後端部と第２の端子部の先端部との角筒面同士の雄雌嵌合と、第１の端子部の後端部に設けられる一対の窓部と第２の端子部の先端部に設けられる一対のロック爪との係合とにより、第１の端子部と第２の端子部との結合が行われるので、第２の端子部の挿入方向が１８０度相違していてもよいから、作業者の負担が軽くなり作業性を向上することができる。
【００１５】
また本発明に係る接続端子は、前記第１の端子部が、前記挿入孔に固定されたときに、前記挿入孔の孔壁に設けられたランスが前記第１の端子部の前記後端部に当接している構成とするのがよい。
【００１６】
また、本発明に係るコネクタは、複数の挿入孔を有し、前記各挿入孔に、前記第１の端子部が予め収容されている構成である。
【００１７】
また、本発明に係るワイヤハーネスは、前記コネクタの前記挿入孔に収容された前記第１の端子部と、電線が接続された前記第２の端子部と、が接続された構成である。
【発明の効果】
【００１８】
本発明によれば、先端部が折れ曲がることを防止することができ、作業性を向上することができる接続端子およびこれを備えたコネクタ並びにワイヤハーネスを提供することができる。
【図面の簡単な説明】
【００１９】
【図１】本発明に係るコネクタおよび接続端子を示す一部縦断面図である。
【図２】本発明に係るコネクタおよび接続端子の組立途中を示す斜視図である。
【図３】本発明に係るコネクタおよび接続端子を示し、第２の端子部を上下逆にして組み立てた一部縦断面図である。
【図４】従来例に係るコネクタおよび接続端子を示す斜視図である。
【図５】（ａ）は従来例に係る雄型端子を示す正面図、（ｂ）は（ａ）と同一の雄型端子を上下逆にして示す正面図である。
【図６】他の従来例に係るコネクタおよび接続端子を示す縦断面図である。
【発明を実施するための形態】
【００２０】
以下、本発明の実施形態に係る接続端子およびコネクタについて図面を参照して説明する。
【００２１】
図１〜図３に示すように、この実施形態に係るワイヤハーネス１は、電線束Ｗと、互いに接続可能な分割構造である第１の端子部１０と第２の端子部１５とを有する接続端子２と、接続端子２を収容するコネクタ２０とを有している。
【００２２】
電線束Ｗは、１本または複数本の銅線またはアルミニウム線をＰＶＣ樹脂などの被覆材で被覆してなり、被覆材端部が皮剥ぎされ導線が露出している。
【００２３】
コネクタ２０は、例えば、ポリプロピレン等の樹脂成形体であり、複数の挿入孔２１を有し、各挿入孔２１に第１の端子部１０を予め先に収容しており、電線束Ｗと接続された第２の端子部１５を後から収容するようになっている（図２）。
【００２４】
接続端子２を構成している第１の端子部１０と第２の端子部１５は、例えば、銅板等の高導電性を有する金属板をプレス成形によって構成されている。
【００２５】
第１の端子部１０は、相手側端子の雌型の先端部と接続される雄型の先端部１１と、先端部１１の後方に、挿入孔２１の孔壁上部より設けられたランス２２を通過しコネクタ２０の挿入孔２１の孔壁に固定されるとともに後端面がランス２２と当接する後端部１２と、を有する。先端部１１は、後端部１２の中心延長線に関し下側に偏っており、コネクタ２０の挿入孔２１の中途部の段差壁の下側を通っている。
【００２６】
第２の端子部１５は、第１の端子部１０の後端部１２に結合された先端部１６と、先端部１６の後方に位置し電線束Ｗの端部の導線に加締めにより接続された第１のバレル部１７と、第１のバレル部１７の後方に位置し被覆材に加締めにより接続された第２のバレル部１８と、を有する。
【００２７】
第１の端子部１０の後端部１２と第２の端子部１５の先端部１６との結合構造について説明する。後端部１２は、四角筒状に形成されかつ互いに対向する２つの面部に一対の窓部１３を有している。先端部１６は、四角筒状に形成され後端部１２内に嵌合されておりかつ互いに反対となる２つの面部に一対のロック爪１９を有し、一対のロック爪１９が一対の窓部１３に脱出不能に嵌合している。この実施の形態では、一対の窓部１３は四角筒状の後端部１２の上面部と下面部に設けられ、一対のロック爪１９は四角筒状の先端部１６の上面部と下面部に設けられている。この構成により、後端部１２と先端部１６とは、第１のバレル部１７および第２のバレル部１８の加締め側が上側に来る場合と（図２）、下側に来る場合のいずれであっても相互に結合することができる（図３）。なお、一対のロック爪１９は切起こしにより形成されている。
【００２８】
次に、作用を説明する。
本実施の形態に係る接続端子２は、尖っていて脆弱な先端部１１と四角筒状で強度が大きい後端部１２とを有する第１の端子部１０と、尖っておらず四角筒状で強度が大きい先端部１６を有する第２の端子部１５とに分割されており、第２の端子部１５を尖っていない先端部１６よりコネクタ２０の挿入孔２１に挿入し、コネクタ２０の挿入孔２１の奥側に予め収容された第１の端子部１０の後端部１２に結合するので、第２の端子部１５の先端部１６が折れ曲がることを防止することができる。
【００２９】
また本実施の形態に係る接続端子２は、第１の端子部１０の後端部１２と第２の端子部１５の先端部１６との角筒面同士の雄雌嵌合と、第１の端子部１０の後端部１２に設けられる一対の窓部１３と第２の端子部１５の先端部１６に設けられる一対のロック爪１９との係合とにより、第１の端子部１０と第２の端子部１５との結合が行われるので、第２の端子部１５の挿入方向が１８０度相違していてもよいから、作業者の負担が軽くなり作業性を向上することができる。
【００３０】
また、本実施の形態に係る接続端子２、および接続端子２を有するワイヤハーネス１は、第１の端子部１０に当接するランス２２により、接続状態の第１の端子部１０と第２の端子部１５が脱出不能に収容される。第１の端子部１０と第２の端子部１５とをコネクタ２０に組付け後、第１の端子部１０の雄型の先端部１１に相手側の接続端子の雌型の先端部と接続する際に、先端部同士が正面に正確に対応しない状態で接続しようとすることにより、第１の端子部１０の先端部１１が曲がってしまい接続不能になる等のときに、ランス２２を第１の端子部１０の後端部１２から離間させることにより、第１の端子部１０および第２の端子部１５を引きぬくことができ、メンテナンスにおける作業性を向上することができ、コネクタ２０の挿入孔２１に新しく第１の端子部１０を挿入し、コネクタ２０と第２の端子部１５を廃棄しないで済み、コストを低減できる。
【００３１】
なお、第１の端子部１０と第２の端子部１５とに分割されているので、第１の端子部１０をコネクタ２０に形成された挿入孔２１に対し正確に挿入する組立作業を、自動機により行うことができ、第２の端子部１５についても、先端部１６が上下の面部を尖っておらずかつ一対のロック爪１９を一対の窓部１３に対応させるだけで、先端部１６を後端部１２に接続可能なので自動機による組立作業が可能であり、この点からも、作業性を向上することができる。
【００３２】
本発明によれば、先端部が折れ曲がることを防止することができ、作業性を向上することができるという効果を有し、雄型の先端部を有する接続端子、およびこれを備えたコネクタ並びにワイヤハーネスの全般に有用である。
【符号の説明】
【００３３】
１  ワイヤハーネス
２  接続端子
１０  第１の端子部
１１  先端部
１２  後端部
１３  窓部
１５  第２の端子部
１６  先端部
１９  ロック爪
２０  コネクタ
２１  挿入孔
２２  ランス
Ｗ  電線束
【図１】
2017126429.tif 000003
【図２】
2017126429.tif 000004
【図３】
2017126429.tif 000005
【図４】
2017126429.tif 000006
【図５】
2017126429.tif 000007
【図６】
2017126429.tif 000008